(57)【要約】      （修正有）【課題】自動販売機とゴミ箱との間の隙間で、ゴミ箱が設置姿勢で維持される連結器具を提供する。【解決手段】自動販売機Ａ側に固定された棒状被連結部に、ゴミ箱Ｂ側に固定されたリング状連結部のリング部４３が挿通される。棒状被連結部は高ナット１１を介して固定されており、自動販売機Ａの外面からは離れている。リング部４３は取付け部と突起状ロック部の間で摺動可能になっている。従って、ゴミ箱Ｂと自動販売機Ａとの間の隙間をそのままにして連結できる。しかも、ゴミ箱Ｂ側が振動しても、リング部４３が自動販売機Ａ側に固定された棒状部分１７に対して上下に振動できるので、すなわち、免振連結されているので、連結部分が外れ難くなっており、ゴミ箱Ｂは元からの設置姿勢に安定的に維持される。【選択図】図４
0003220554.tif 000002
【実用新案登録請求の範囲】
【請求項１】
自動販売機にゴミ箱を連結する連結器具であって、
自動販売機に固定される自動販売機側基部と、前記自動販売機側基部から外方に突設され、前記突設端側を連結側とする距離確保部と、前記距離確保部の突設端側に設けられた被連結部と、
ゴミ箱に固定されるゴミ箱側基部と、前記ゴミ箱側基部から外方に突設される連結部と、
前記ゴミ箱側からの振動に対して免振連結乃至制振連結を実現する振動対応機構を備え、
前記自動販売機と前記ゴミ箱との間の隙間で、前記被連結部に前記連結部が免振連結または制振連結されることで、前記ゴミ箱が設置姿勢で維持されることを特徴とする連結器具。
【請求項２】
請求項１に記載した自動販売機にゴミ箱を連結する連結器具において、
距離確保部が、継ぎ足し可能に構成されていることを特徴とする連結器具。
【請求項３】
請求項１または２に記載した自動販売機にゴミ箱を連結する連結器具において、
自動販売機側の距離確保部には上下を軸方向とする棒状被連結部が連設され、ゴミ箱側基部には上下に開口したリング状連結部が突設されており、
ゴミ箱を下ろすと前記リング状連結部が前記棒状被連結部に遊嵌状態で免振連結されることを特徴とする連結器具。
【請求項４】
請求項３に記載した自動販売機にゴミ箱を連結する連結器具において、
棒状被連結部の上端部は半割り状になって溝が形成され、その外面には突起状ロック部が形成されており、
前記棒状被連結部が弾性的に回復可能に縮径することで、リング状連結部が前記突起状ロック部を乗り越えてロックされた状態で外嵌されることを特徴とする連結器具。
【請求項５】
請求項３または４に記載した自動販売機にゴミ箱を連結する連結器具において、
ゴミ箱側基部、自動販売機側基部とも、それぞれゴミ箱、自動販売機の外面に接合される接合片で構成されており、
前記自動販売機側の接合片には、折り曲げると切断されて分離される位置決め用Ｌ形片が連設され、前記自動販売機の下側角部に前記位置決め用Ｌ形片を沿わせることで前記接合片が所定の高さで接合され、分離された後には、前記ゴミ箱の上側開口部に前記位置決め用Ｌ形片を掛けて前記ゴミ箱側の接合片の接合位置の指標として利用することで前記自動販売機側の接合片との連結用に適した高さで接合されることを特徴とする連結器具。
【請求項６】
請求項５に記載した自動販売機にゴミ箱を連結する連結器具において、
位置決め用Ｌ形片には、自動販売機の設置高さに応じて複数のラインまたはマークが表示されていることを特徴とする連結器具。
【請求項７】
請求項３または４に記載した自動販売機にゴミ箱を連結する連結器具と、身箱に蓋箱を被せる構成の梱包箱を備え、
前記蓋箱の高さ部分は前記身箱よりも短くなっているが、一箇所舌状に延長されており、前記蓋箱と前記舌状部分とで位置決め用Ｌ形片が構成されていることを特徴とする連結器具セット。
【請求項８】
請求項７に記載した連結器具セットにおいて、
位置決め用Ｌ形片を構成する梱包箱の天面には、自動販売機の設置高さに応じて複数のラインまたはマークが表示されていることを特徴とする連結器具セット。
【考案の詳細な説明】
【技術分野】
【０００１】
本考案は、飲料缶等の商品の自動販売機の横に置くことが多い回収用のゴミ箱を、当該自動販売機に連結する連結器具に関するものである。
【背景技術】
【０００２】
特許文献１に記載のように、通常、自動販売機の横には、購入者の利便性を考慮して、回収用のゴミ箱が設置されている。このゴミ箱としては、プラスチック製で軽量に構成されているものが広く利用されており、飲料水等が掛かっても錆び難く、設置や廃棄の際には持ち運び易くなっている。
而して、自動販売機は屋外に設置されることが多く、台風等の強風が通り過ぎた翌日に道路上に転がっているゴミ箱を見かけることが往々にしてある。
【先行技術文献】
【特許文献】
【０００３】
【特許文献１】特開２０１７−４３４８８号公報
【考案の概要】
【考案が解決しようとする課題】
【０００４】
これに対して、ゴミ箱に重しを入れておいたり、ゴム紐のようなもので自動販売機に括り付けておく等の対策が取られているものもあるが、この場合には道路まで転がっていくことはなくなるにしても、やはりゴミ箱がひっくり返って、蓋が外れ、ゴミが散乱してしまう。
特許文献１では、ゴミ箱を装置化することが提案されているが、大部分の自動販売機設置者にとっては、既存のゴミ箱を利用できてそのゴミ箱が転がらないようにできれば十分である。
【０００５】
本考案は上記従来の問題点に着目して為されたものであり、部品点数が少なく、連結作業・連結解除作業も容易でありながら、現場の自動販売機の設置状況に合わせて、ゴミ箱を自動販売機に連結して設置姿勢を安定的に維持できる、新規且つ有用な連結器具を提供することを、その目的とする。
【課題を解決するための手段】
【０００６】
本考案は上記課題を解決するためになされたものであり、請求項１の考案は、自動販売機にゴミ箱を連結する連結器具であって、自動販売機に固定される自動販売機側基部と、前記自動販売機側基部から外方に突設され、前記突設端側を連結側とする距離確保部と、前記距離確保部の突設端側に設けられた被連結部と、ゴミ箱に固定されるゴミ箱側基部と、前記ゴミ箱側基部から外方に突設される連結部と、前記ゴミ箱側からの振動に対して免振連結乃至制振連結を実現する振動対応機構を備え、前記自動販売機と前記ゴミ箱との間の隙間で、前記被連結部に前記連結部が免振連結または制振連結されることで、前記ゴミ箱が設置姿勢で維持されることを特徴とする連結器具である。
【０００７】
請求項２の考案は、請求項１に記載した自動販売機にゴミ箱を連結する連結器具において、距離確保部が、継ぎ足し可能に構成されていることを特徴とする連結器具である。
【０００８】
請求項３の考案は、請求項１または２に記載した自動販売機にゴミ箱を連結する連結器具において、自動販売機側の距離確保部には上下を軸方向とする棒状被連結部が連設され、ゴミ箱側基部には上下に開口したリング状連結部が突設されており、ゴミ箱を下ろすと前記リング状連結部が前記棒状被連結部に遊嵌状態で免振連結されることを特徴とする連結器具である。
【０００９】
請求項４の考案は、請求項３に記載した自動販売機にゴミ箱を連結する連結器具において、棒状被連結部の上端部は半割り状になって溝が形成され、その外面には突起状ロック部が形成されており、前記棒状被連結部が弾性的に回復可能に縮径することで、リング状連結部が前記突起状ロック部を乗り越えてロックされた状態で外嵌されることを特徴とする連結器具である。
【００１０】
請求項５の考案は、請求項３または４に記載した自動販売機にゴミ箱を連結する連結器具において、ゴミ箱側基部、自動販売機側基部とも、それぞれゴミ箱、自動販売機の外面に接合される接合片で構成されており、前記自動販売機側の接合片には、折り曲げると切断されて分離される位置決め用Ｌ形片が連設され、前記自動販売機の下側角部に前記位置決め用Ｌ形片を沿わせることで前記接合片が所定の高さで接合され、分離された後には、前記ゴミ箱の上側開口部に前記位置決め用Ｌ形片を掛けて前記ゴミ箱側の接合片の接合位置の指標として利用することで前記自動販売機側の接合片との連結用に適した高さで接合されることを特徴とする連結器具である。
【００１１】
請求項６の考案は、請求項５に記載した自動販売機にゴミ箱を連結する連結器具において、位置決め用Ｌ形片には、自動販売機の設置高さに応じて複数のラインまたはマークが表示されていることを特徴とする連結器具である。
【００１２】
請求項７の考案は、請求項３または４に記載した自動販売機にゴミ箱を連結する連結器具と、身箱に蓋箱を被せる構成の梱包箱を備え、前記蓋箱の高さ部分は前記身箱よりも短くなっているが、一箇所舌状に延長されており、前記蓋箱と前記舌状部分とで位置決め用Ｌ形片が構成されていることを特徴とする連結器具セットである。
【００１３】
請求項８の考案は、請求項７に記載した連結器具セットにおいて、位置決め用Ｌ形片を構成する梱包箱の天面には、自動販売機の設置高さに応じて複数のラインまたはマークが表示されていることを特徴とする連結器具セットである。
【００１４】
別の考案は、請求項１から３のいずれかに記載した自動販売機にゴミ箱を連結する連結器具において、自動販売機側基部は、一対のＺ形柱片と、これらを締結するボルト・ナット締結体とで構成され、前記Ｚ形柱片の一方のＬ形曲げ部を自動販売機の角部に沿わせ、残りのＬ形曲げ部を合掌部とし、前記合掌部を前記ボルト・ナット締結体で締結することで、上下から挟み込まれた前記自動販売機からの反力により固定されており、少なくとも一方のＺ形柱片の自動販売機の角部に沿わせる側のＬ形曲げ部は僅かに鋭角になっていることを特徴とする連結器具である。
【００１５】
更に別の考案は、請求項７に記載した自動販売機にゴミ箱を連結する連結器具において、自動販売機側の距離確保部は振動吸収材で構成され、その突設端側に被連結部として雌ネジが形成されており、ゴミ箱側基部と連結部は、ボルトの頭部と軸部で構成されており、ゴミ箱に形成された貫通孔に前記ゴミ箱の内部から前記ボルトが差込まれ、前記軸部が外に突出し、前記雌ネジに螺着することで制振連結されることを特徴とする連結器具である。
【考案の効果】
【００１６】
本考案の連結器具を用いれば、現場の自動販売機の設置状況に合わせて、ゴミ箱を自動販売機に連結して設置姿勢を安定的に維持できる。
また、本考案の連結器具は、部品点数が少なく、連結作業・連結解除作業も容易である。
位置決め用Ｌ形片を利用することで、現場作業でゴミ箱を自動販売機に対して正確な高さに容易に設置することができる。この位置決め用Ｌ形片は、連結器具に分離自在に取付けることもできるが、連結器具は通常梱包状態で購入者に提供されることから、梱包箱を利用して構成することもできる。
【図面の簡単な説明】
【００１７】
【図１】本考案の第１の実施の形態に係る連結器具の分解斜視図である。
【図２】図１の連結器具を、自動販売機固定側組立品とゴミ箱固定側組立品として分けて示す斜視図である。
【図３】図２の組立品の連結状態を示す斜視図である。
【図４】図３の連結器具により、自動販売機にゴミ箱が連結された状態を示す側面図である。
【図５】図２の自動販売機固定側組立品における距離伸長構造の説明図である。
【図６】図４の連結器具の取付け位置の設定方法の説明図である。
【図７】本考案の第２の実施の形態に係る連結器具の分解斜視図である。
【図８】図７の連結器具により、自動販売機に連結器具の一部が固定された状態を示す斜視図である。
【図９】図７の連結器具により、自動販売機にゴミ箱が連結された状態を示す断面図である。
【図１０】本考案の第３の実施の形態に係る連結器具セットの斜視図である。
【図１１】図１０の蓋箱の位置決め用Ｌ形片としての使用方法の説明図である。
【考案を実施するための形態】
【００１８】
本考案の第１の実施の形態に係る連結器具１を図面にしたがって説明する。
この連結器具１は、既存の自動販売機にプラスチック製の蓋付きゴミ箱を連結する際に用いるものである。
図１、図２に示すように、連結器具１は、複数の部材で構成されている。
自動販売機の筐体を被連結相手として利用している。以下、説明の便宜のために、「自動販売機の筐体」を省略して単純に「自動販売機Ａ」と記載する。これに、プラスチック製の蓋付きゴミ箱の容器を連結させる。以下、説明の便宜のために、「ゴミ箱の容器」を省略して単純に「ゴミ箱Ｂ」と記載する。
【００１９】
連結器具１は、自動販売機Ａに固定される側とゴミ箱Ｂに固定される側とに分かれる。
自動販売機Ａに固定される側について先ず説明する。
自動販売機Ａの外面には、ほぼ長方形の接合片３の板面が両面テープ５を介して接合されて固定される。この接合片３の中心部分には、挿通孔７が形成されている。この挿通孔７は、断面円形で両面テープ５に相対する側はテーパ状になって拡径されている。他方の接合されずに表に露出する露出面には、ナット嵌合部９が挿通孔７を囲んで固定されている。このナット嵌合部９にはナットの六角形外面とほぼ相似形の六角形内面が形成されており、高ナット１１の軸方向一端側が内嵌されて、接合片３の板面から垂直方向に突設した状態になる。
【００２０】
挿通孔７には両面テープ５に貼着される側から皿ビス１３が挿通され、更にその皿ビス１３が高ナット１１に螺着されて、高ナット１１が接合片３に対して固着される。皿ビス１３の頭部はテーパ状に拡径されているが、挿通孔７のテーパ部分に嵌り込むので、頭部の天面は接合片３の板面とほぼ面一となる。従って、両面テープ５の貼着面には凹凸は殆ど形成されない。
【００２１】
高ナット１１の突設端側には、棒状被連結部１５が配置される。この棒状被連結部１５の棒状部分１７は円柱状になっており、その先に外径は同じだが溝１９によって半割り状に分けられた半割り部分２１、２１が連なっており、その先端部２３、２３は半球状に膨らんで差込み易くなっている。そして、半割り部分２１の外周面では突起状ロック部２５が径方向外方に突出している。
棒状部分１７の基端側には取付け部２７が設けられている。この取付け部２７は筒状になっており、その軸芯孔２９は棒状部分１７の軸方向と直交している。取付け部２７の軸芯孔２９にボルト３１が挿通され、更にそのボルト３１が高ナット１１に螺着されて、棒状被連結部１５が接合片３に対して固定される。取付け部２７の軸方向の端面は高ナット１１の軸方向の端面と突き合わせた状態となる。高ナット１１の軸長分により距離が確保されて、棒状部分１７は接合片３の露出面からは間隔をあけた位置で平行に延びる。
接合片３は自動販売機Ａの外面に縦長に接合されることが想定されており、接合されると棒状部分１７が取付け部２７から上方に立ち上がるように、固定の際には向きが調整される。
【００２２】
また、自動販売機Ａの外面に接合される接合片３には、位置決め用Ｌ形片３３が連設されている。この位置決め用Ｌ形片３３は薄い細帯状板材で構成されており、接合片３の下側にくる短片縁に連設されており、接合片３が自動販売機Ａの外面に接合されたときには、上下方向に長く吊り下げられた状態となる。下端側で垂直に折り曲げられてＬ形になっており、折り曲げ方向は、接合片３の貼着側である。そして、吊り下げられたときに、接合片３と同様に露出側となる面には、２本の位置決めライン３５Ａ、３５Ｂが幅方向に平行に描かれている。位置決め用Ｌ形片３３は薄板で構成されており、接合片３との境界を折り曲げることにより、容易に切断され分離される。
【００２３】
ゴミ箱Ｂに固定される側について次に説明する。
ゴミ箱Ｂの外面には、ほぼ長方形の接合片３７の板面が両面テープ３９を介して接合されて固定される。この接合片３７の中心部分には、両面テープ３９の貼着面とは反対側からリング状連結部４１が突設している。このリング状連結部４１のリング部４３は接合片３７の板面から垂直に立ち上がっている。
このリング部４３の穴径は、上記した棒状被連結部１５の棒状部分１７が遊嵌されるサイズに設定されている。接合片３７は縦長に接合されることが想定されており、接合されるとリング部４３が上下に開口する。
【００２４】
自動販売機Ａ側では、棒状部分１７が取付け部２７から上方に立ち上がり、ゴミ箱Ｂ側では、リング部４３が上下に開口するように固定される。ゴミ箱Ｂは容易に動かすことができるので、ゴミ箱Ｂを下ろしながら、リング部４３に半割り部分２１、２１を挿通させると、突起状ロック部２５が当たるが、溝１９があることで、半割り部分２１、２１は押圧されると弾性的に縮径されるので乗り越えられる。そして、乗り越えた後に更に下ろして、棒状部分１７まで挿通させる。棒状部分１７の基端側には取付け部２７が繋がっており、そこで係止される。リング部４３が突起状ロック部２５を乗り越えた後は半割り部分２１、２１は弾性的に回復し、再び縮径方向に力が加えられない限りはその状態が維持される。
【００２５】
図３がこの連結状態を示す。リング部４３は棒状部分１７の軸方向に摺動可能に遊嵌されており、上側は突起状ロック部２５で、下側は取付け部２７でそれぞれ抜け止めされる。
図４は、図３の連結器具１により、自動販売機Ａにゴミ箱Ｂが連結された状態を示す。自動販売機Ａの横にゴミ箱Ｂを置く場合には、ゴミ箱Ｂの蓋Ｃを開けて使用済みの缶を回収したりするので、蓋Ｃを開け易いように隙間をあけるが、連結器具１では、距離確保部として高ナット１１を横方向に突設させており、この隙間をそのまま残した状態にできる。なお、この隙間が高ナット１１の１個分の軸長では対応できない場合には、雌ネジ・雄ネジによる螺合を利用して、例えば、図５に示すように、高ナット１１に片端雌ねじ片端雄ねじのリニアシャフト４５の螺着を介して連結させることで、継ぎ足して伸長させることができる。なお、位置決め用Ｌ形片３３は切断され分離されている。
【００２６】
台風などの強風に晒されてゴミ箱Ｂが振動した場合に、剛性連結されていると連結部分が振動に耐えられなくなったときに弛んで外れ易くなるが、この場合には、ゴミ箱Ｂ側に固定されたリング部４３が自動販売機Ａ側に固定された棒状部分１７に対して上下に振動できるので、すなわち、免振連結されているので、連結部分が外れ難くなっており、ゴミ箱Ｂは元からの設置姿勢に安定的に維持される。
【００２７】
連結器具１の取付けは、図２に示すように、自動販売機Ａに固定される側とゴミ箱Ｂに固定される側とでそれぞれに一体化しておく。そして、図６のイメージ図に示すように順次作業する。
自動販売機Ａ側では、両面テープ５の剥離紙を剥離して接合可能にしておいてから、自動販売機Ａの下側角部に位置決め用Ｌ形片３３のＬ形曲げ部を沿わせて、接合片３を接合させる。その後に、位置決め用Ｌ形片３３を切断して分離する。
次に、ゴミ箱Ｂの上部開口の縁に、分離させた位置決め用Ｌ形片３３を掛けて、位置決めライン３５Ａ、３５Ｂを表に出す。
そして、ゴミ箱Ｂ側でも、両面テープ３９の剥離紙を剥離して接合可能にしておいてから、位置決めライン３５Ａ、３５Ｂの延長上に接合片３７の上側の短片縁がくるように位置を調整して、接合片３７を接合させる。そして、位置決め用Ｌ形片３３を外して、それぞれの固定作業を終了する。
その後は、図４に示すように、棒状部分１７にリング部４３を外嵌させて連結作業を終了する。
【００２８】
自動販売機Ａは、据え付け面に直接固定する場合や、地面に敷設されたコンクリート板Ｄの上に据え付ける場合があるが、ゴミ箱Ｂは通常地面に直接置かれる。そのため、状況に応じて、接合片３と接合片３７のそれぞれの接合位置を揃える調整が必要になるが、コンクリート板Ｄの高さはほぼ共通しているので、２本の位置決めライン３５Ａ、３５Ｂを指標として使い分けることで、図４に示すような連結状態が容易に実現される。
なお、自動販売機Ａをコンクリート板Ｄの上に据え付ける場合には、コンクリート板Ｄの縁に沿ってゴミ箱Ｂを置くことになり、その分だけ自動販売機Ａから離れるが、上記したように、高ナット１１にリニアシャフト４５を継ぎ足して伸長させることができるので、その場合にも対応できる。
【００２９】
ゴミ箱Ｂは、自動販売機Ａの側面だけでなく、背面に設置する場合もあるが、その場合にも勿論対応できる。
更に、連結器具１をブラケットとして利用してゴミ箱Ｂを浮かせるように構成することも可能であり、ゴミ箱Ｂがコンパクト化され、回収するものが紙コップ等の軽量物の場合には、このような連結の仕方も考えられる。
【００３０】
本考案の第２の実施の形態に係る連結器具４７を図面にしたがって説明する。
この連結器具４７も、既存の自動販売機にプラスチック製の蓋付きゴミ箱を連結する際に用いるものである。
図７、図８に示すように、連結器具４７は、複数の部材で構成されている。
自動販売機Ａの外面への固定には、一対のＺ形柱片４９、５５が利用されている。Ｚ形柱片４９、５５は細帯状の板材で構成されており、それぞれの長手方向両端部がほぼ垂直に反対方向に折り曲げられて全体としてＺ形になっており、折り曲げ部分はそれぞれＬ形曲げ部になっている。Ｚ形柱片４９はＺ形柱片５５よりも中間の部分が長くなっており、途中が図示省略されている。また、Ｚ形柱片４９の一方のＬ形曲げ部５１の折り曲げ角度（θ）は８５°と僅かであるが鋭角になっている。
【００３１】
これらは、長手方向を上下にして、Ｚ形柱片４９の下側にくるＬ形曲げ部５３と、Ｚ形柱片５５の上側にくるＬ形曲げ部５９が合掌部として利用されており、それぞれの水平部分には挿通孔６１、６１、……が形成されている。Ｌ形曲げ部５３とＬ形曲げ部５９のそれぞれの水平部分が重ね合され、連通した挿通孔６１、６１にボルト６３、６３が差し込まれ、ナット６５、６５で締結されて一体化される。
自動販売機Ａの外面の上下の角部を上側からはＬ形曲げ部５１で、下側からはＬ形曲げ部５７で挟み込むようになっており、Ｌ形曲げ部５１、５７のそれぞれの水平部分には当接側に滑り止めシート６７、６７が貼着される。
【００３２】
Ｚ形柱片５５の中間部には、間隔をあけて２つの連通孔６９、６９が形成されている。
そして、この連通孔６９を利用して、振動吸収作用のある樹脂、例えば塩ビ製の柱体７１がＺ形柱片５５に固定される。柱体７１には軸方向両端側に雌ネジ７３、７３が形成されている。
これを連通孔６９に連通させた状態で、ボルト７４が連通孔６９に差し込まれ、更に雌ネジ７３で螺着される。これにより、柱体７１は、Ｚ形柱片５５の板面から垂直方向に突設した状態になる。柱体７１は合掌部と同じ側で突設する。
【００３３】
Ｚ形柱片５５に柱体７１を固定させた後に、自動販売機Ａの外面の上側の角部にＺ形柱片４９のＬ形曲げ部５１を沿わせ、下側の角部にＺ形柱片５５のＬ形曲げ部５７を沿わせ、合掌部をボルト・ナット締結することで、自動販売機Ａを上下から挟み込んだ状態となる。
２つのＺ形柱片４９、５５で自動販売機Ａの外面を上下方向で縦断して挟み込むようになっており、自動販売機Ａの製造元の違い等による多少の寸法違いには対応できる。また、滑り止めシート６７による外れ防止作用だけでなく、Ｌ形曲げ部５１には傾斜が付けられており、挟み込んだときに自動販売機Ａに食い込むので、弛み止め作用も期待される。
この挟み込みにより、自動販売機Ａ側から反力を受けて、一対のＺ形柱片４９、５５は自動販売機Ａに対して固定される。
【００３４】
ゴミ箱Ｂの側面には貫通孔Ｂ１が形成されており、この貫通孔Ｂ１にゴミ箱Ｂの内部からスペーサ７５を介してボルト７７を差し込み、ゴミ箱Ｂの外側に突出させ、上記した柱体７１の雌ネジ７３に螺着させると、図９に示すような連結状態になり、連結器具４７のゴミ箱Ｂ側への固定も同時になされる。
スペーサ７５はボルト７７の軸７９よりも拡径されており、頭部８１からの押圧力を受け止めるので、ゴミ箱Ｂが振動してもそれによって貫通孔Ｂ１が広がり、ボルト７７が外れるような事態は阻止される。
また、柱体７１が振動を吸収できるので、すなわち、制振連結されているので、連結部分が外れ難くなっており、ゴミ箱Ｂは元からの設置姿勢に安定的に維持される。
【００３５】
ゴミ箱Ｂの貫通孔Ｂ１の形成位置を変えることで、自動販売機Ａの実際の設置高さに対応できる。
また、柱体７１は距離確保部として働くが、長さが不足する場合には、ゴミ箱Ｂの外側で、継ぎ足し用にナットを介装させて柱体７１にボルト７７を螺着させればよい。
【００３６】
本考案の第３の実施の形態に係る連結器具セット８３を図面にしたがって説明する。
この連結器具セット８３は、図１０に示すように、連結器具８５とそれを梱包する梱包箱８７で構成されている。なお、視認の便宜のため、梱包箱８７に通常詰められる緩衝材は図示省略されている。
連結器具１では、自動販売機Ａの外面に接合される側の接合片３に位置決め用Ｌ形片３３が連設されているが、この連結器具８５では接合片３に連設されていない。それ以外は同様に構成されている。位置決め用Ｌ形片３３が一体化されていないので、梱包箱８７がコンパクトになっている。
【００３７】
梱包箱８７は、紙製で四角型に構成されており、身箱８９に蓋箱９３を被せるようになっている。身箱８９の高さ部分９１より蓋箱９３の高さ部分は短くなっているが、高さ部分をなす一つの側面部９５には舌状に延長されて、身箱８９の高さ部分９１とほぼ同じになっている箇所がある。側面部９５を外面方向から見ると、側面部９５と舌状部分９７とがＴ字状に繋がっている。
蓋箱９３の天面部９９の上面（すなわち、天面）には、２本の位置決めライン１０１Ａ、１０１Ｂが幅方向に平行に描かれている。この位置決めライン１０１Ａ、１０１Ｂは、両側の側面部１０３、１０３まで延長されて描かれている。
【００３８】
梱包箱８７は、側面部１０３方向から見ると、舌状部分９７の紙厚面と側面部１０３とでＬ形曲げ部になっており、この形状を利用して位置決め用Ｌ形片３３と同様に使うことができる。
図１１に示すように、自動販売機Ａの下面に舌状部分９７を重ね、自動販売機Ａの側面に天面部９９がくるように角部を沿わせて、その天面部９９の上に接合片３を接合させる。次に、ゴミ箱Ｂの上部開口の縁に舌状部分９７を掛け、ゴミ箱Ｂの側面に天面部９９がくるように角部を沿わせる。天面部９９及び側面部１０３に描かれた位置決めライン１０１Ａ、１０１Ｂが表に出ているので、位置決めライン１０１Ａ、１０１Ｂのうち適当な方の延長上に接合片３７の上側の短片縁がくるように位置を調整してから、接合片３７を接合させる。
【００３９】
蓋箱９３を位置決め用Ｌ形片として使用することで、現場作業でゴミ箱Ｂを自動販売機Ａに対して正確な高さに容易に設置することができる。連結器具８５は梱包状態で購入者に提供されることから、梱包用に準備される梱包箱８７の形状に工夫をすることで、連結器具８５をよりシンプルな構成で且つコンパクト化できる。
【００４０】
以上、本考案の実施の形態について詳述してきたが、具体的構成は、この実施の形態に限られるものではなく、本考案の要旨を逸脱しない範囲における設計の変更などがあっても考案に含まれる。
【符号の説明】
【００４１】
１…連結器具（第１の実施の形態）              ３…接合片      ５…両面テープ
７…挿通孔            ９…ナット嵌合部      １１…高ナット  １３…皿ビス
１５…棒状被連結部    １７…棒状部分          １９…溝        ２１…半割り部分
２３…半球状先端部    ２５…突起状ロック部    ２７…取付け部  ２９…軸芯孔
３１…ボルト          ３３…位置決め用Ｌ形片  ３５Ａ、３５Ｂ…位置決めライン
３７…接合片          ３９…両面テープ        ４１…リング状連結部
４３…リング部        ４５…片端雌ねじ片端雄ねじのリニアシャフト
４７…連結器具（第２の実施の形態）            ４９…Ｚ形柱片
５１、５３…Ｌ形曲げ部                        ５５…Ｚ形柱片
５７、５９…Ｌ形曲げ部                        ６１…挿通孔    ６３…ボルト
６５…ナット          ６７…滑り止めシート    ６９…連通孔    ７１…柱体
７３…雌ネジ          ７４…ボルト            ７５…スペーサ  ７７…ボルト
７９…（ボルトの）軸  ８１…（ボルトの）頭部  ８３…連結器具セット
８５…連結器具        ８７…梱包箱            ８９…身箱      ９１…高さ部分
９３…蓋箱            ９５…側面部            ９７…舌状部分  ９９…天面部
１０１Ａ、１０１Ｂ…位置決めライン            １０３…側面部
Ａ…自動販売機        Ｂ…ゴミ箱              Ｂ１…（ゴミ箱の）貫通孔
Ｃ…（ゴミ箱の）蓋    Ｄ…コンクリート板
【図１】
0003220554.tif 000003
【図２】
0003220554.tif 000004
【図３】
0003220554.tif 000005
【図４】
0003220554.tif 000006
【図５】
0003220554.tif 000007
【図６】
0003220554.tif 000008
【図７】
0003220554.tif 000009
【図８】
0003220554.tif 000010
【図９】
0003220554.tif 000011
【図１０】
0003220554.tif 000012
【図１１】
0003220554.tif 000013